(57)【特許請求の範囲】
【請求項１】
上面を開口したショーケース本体と、ショーケース本体の前面上部を形成する透明板と、ショーケース本体の前面下部を形成する前面壁と、ショーケース本体の上部背面側に収納されたナイトカバーとを備え、ナイトカバーを前方に引き出してその前端側をショーケース本体の前面側に係止することにより、ナイトカバーによってショーケース本体の上面開口部を覆うようにしたショーケースにおいて、
前記ショーケース本体の前面壁に上端をナイトカバーの前端側に係止可能な係止部材を設けるとともに、
係止部材をその上端が透明板のほぼ上端側まで達するように上下方向に移動自在に設けた
ことを特徴とするショーケース。
【請求項２】
前記係止部材を前面壁の内部に収納可能に設けた
ことを特徴とする請求項１記載のショーケース。
【発明の詳細な説明】
【０００１】
【発明の属する技術分野】
本発明は、スーパーマーケットやコンビニエンスストア等の店舗に設置されるショーケースに関するものである。
【０００２】
【従来の技術】
一般に、店舗の食品売場等に設置されるショーケースとしては、上面を開口したショーケース本体と、ショーケース本体内を冷却する冷却装置とを備え、ショーケース本体内に冷蔵または冷凍の商品を収納するようにしたものが知られている。
【０００３】
また、この種のショーケースにおいては、ショーケース本体の上部背面側に格納された可撓性のナイトカバーを備え、ナイトカバーを前方に引き出してその前端側をショーケース本体の前面側に係止することにより、閉店時にショーケース本体の上面開口部をナイトカバーによって覆うようにしている（例えば特開２０００−８８４４２）。
【０００４】
【発明が解決しようとする課題】
ところで、前記ショーケースでは、内部商品の展示効果を向上させるため、ショーケース本体の前面上部を透明板によって形成したものがある。この場合、透明板にナイトカバーを係止する部材を設けると外観を損なうため、透明板の下方の前面壁に取付けた金具にナイトカバーを係止するようにしている。
【０００５】
しかしながら、前面壁にナイトカバーを係止する場合は、図５に示すようにショーケース本体１の上面のみならず透明板の下端側までナイトカバー２を引き延ばす必要がある。その際、ナイトカバー２が透明板の上端に擦り付けられるため、その摩擦によりナイトカバー２の引き出し操作に苦労するとともに、ナイトカバー２の損傷を生じ易いという問題点があった。
【０００６】
本発明は前記問題点に鑑みてなされたものであり、その目的とするところは、ショーケース本体の前面上部を透明板によって形成したものであっても、ナイトカバーの損傷及び操作性の低下を防止することのできるショーケースを提供することにある。
【０００７】
【課題を解決するための手段】
本発明は前記目的を達成するために、請求項１では、上面を開口したショーケース本体と、ショーケース本体の前面上部を形成する透明板と、ショーケース本体の前面下部を形成する前面壁と、ショーケース本体の上部背面側に収納されたナイトカバーとを備え、ナイトカバーを前方に引き出してその前端側をショーケース本体の前面側に係止することにより、ナイトカバーによってショーケース本体の上面開口部を覆うようにしたショーケースにおいて、前記ショーケース本体の前面壁に上端をナイトカバーの前端側に係止可能な係止部材を設けるとともに、係止部材をその上端が透明板のほぼ上端側まで達するように上下方向に移動自在に設けている。
【０００８】
これにより、ナイトカバーを使用する際は、ナイトカバーを前方に引き出すとともに、係止部材を透明板の上端側まで移動させてナイトカバーの前端側に係止することにより、ナイトカバーの前端側が透明板のほぼ上端位置で係止部材と係止する。
【０００９】
また、請求項２では、請求項１記載のショーケースにおいて、前記係止部材を前面壁の内部に収納可能に設けている。
【００１０】
これにより、請求項１の作用に加え、係止部材を前面壁の内部に収納することにより、ナイトカバーを使用していないときに係止部材が外部に露出することがない。
【００１１】
【発明の実施の形態】
図１乃至図４は本発明の一実施形態を示すもので、図１はショーケースの全体斜視図、図２はその側面断面図、図３は係止部材の拡大斜視図、図４はナイトカバー使用時を示すショーケースの全体斜視図である。
【００１２】
このショーケースは、上面を開口したショーケース本体１０と、ショーケース本体１０の上面開口部を覆うナイトカバー２０と、ナイトカバー２０を係止する係止部材３０とを備えている。
【００１３】
ショーケース本体１０は、その前面側下部、底面側及び背面側を断熱壁１１によって囲まれ、左右両側面はそれぞれ透明ガラスからなる側板１２によって覆われている。ショーケース本体１０の前面側上部はガラス製の透明板１３によって形成され、透明板１３の上端側は後方に向かって斜め上方に屈曲している。また、前面側断熱壁１１の前面は化粧板１４によって覆われており、前面側断熱壁１１及び化粧板１４によって前面壁を構成している。更に、ショーケース本体１０の上面後部には上面板１５が設けられ、上面板１５の下方には蛍光灯１５ａが取付けられている。
【００１４】
ショーケース本体１０内には前面板１６、底面板１７及び背面板１８が設けられ、これらの部材と透明板１３及び断熱壁１１の間には通風路１９が形成されている。また、前面板１６は透明ガラスによって形成されている。通風路１９内には冷却器１９ａ及び送風機１９ｂが設けられ、ショーケース本体１０の上面開口部の前端側に設けた空気吸入口１０ａから通風路１９内に吸入した空気を冷却器１９ａによって冷却し、ショーケース本体１０の上面開口部の後端側に設けた空気吐出口１０ｂから吐出するようになっている。
【００１５】
ショーケース本体１０の下部には機械室１０ａが設けられ、機械室１０ａ内には冷却器１９ａに接続された冷凍機器（図示せず）等が収容されている。
【００１６】
ナイトカバー２０は布またはビニール製の可撓性を有するシート材からなり、上面板１５の下方にロール状に巻回されて収納されている。即ち、ナイトカバー２０の前端中央には環状の把持部２１が設けられ、把持部２１を把持してナイトカバー２０を前方に引き出せるようになっている。
【００１７】
係止部材３０は金属製のワイヤからなり、その上端にはナイトカバー２０の把持部２１を係止可能な鉤状の係止部３１が設けられている。係止部材３０はショーケース本体１０の前面側断熱壁１１と化粧板１４との隙間に配置され、化粧板１４の上端面に設けた孔１４ａに上下方向に移動自在に挿入されている。即ち、係止部材３０は、上方に引き上げると、その上端が透明板１３のほぼ上端に達する長さに形成され、その下端は化粧板１４の孔１４ａから抜け出ないように左右方向に折り曲げられている。また、ナイトカバー２０を係止していないときの係止部材３０は、図３(a) に示すように上端の係止部３１のみを化粧板１１ａの上方に突出させた状態で前面側断熱壁１１と化粧板１４との間に収容されるようになっている。
【００１８】
以上のように構成されたショーケースにおいて、ナイトカバー２０を使用する際は、ナイトカバー２０を上面板１５の下方から前方に引き出すとともに、係止部材３０を上方に引き上げ、図３(b) に示すようにナイトカバー２０の把持部２１を係止部材３０の係止部３１に係止する。これにより、図４に示すようにナイトカバー２０の前端側が透明板１３のほぼ上端位置で係止部材３０の係止部３１と係止する。
【００１９】
このように、本実施形態のショーケースによれば、ナイトカバー２０の前端側を係止する係止部材３０を透明板１３の下方の前面壁に配置するとともに、係止部材３０をナイトカバー２０の前端側と透明板１３のほぼ上端位置で係止するように上下方向に移動自在に設けたので、従来のようにナイトカバー２０を透明板１３の下端側まで引き延ばす必要がなく、ナイトカバー２０が透明板１３に擦り付けられることによるナイトカバー２０の損傷や操作性の低下を確実に防止することができる。
【００２０】
また、ナイトカバー２０を使用していないときは、係止部材３０を前面側断熱壁１１と化粧板１４との間に収容するようにしたので、係止部材３０が外部に露出することがなく、ショーケース本体１０の外観を損なうことがないという利点がある。
【００２１】
【発明の効果】
以上説明したように、請求項１のショーケースによれば、ショーケース本体の前面上部を透明板によって形成したものであっても、ナイトカバーを透明板の下端側まで引き延ばす必要がないので、ナイトカバーが透明板に擦り付けられることによるナイトカバーの損傷や操作性の低下を確実に防止することができる。
【００２２】
また、請求項２のショーケースによれば、請求項１の効果に加え、ナイトカバーを使用していないときは、係止部材が外部に露出しないようにすることができるので、ショーケース本体の外観を損なうことがないという利点がある。
【図面の簡単な説明】
【図１】本発明の一実施形態を示すショーケースの全体斜視図
【図２】ショーケースの側面断面図
【図３】係止部材の拡大斜視図
【図４】ナイトカバー使用時を示すショーケースの全体斜視図
【図５】従来例のナイトカバー使用時を示すショーケースの全体斜視図
【符号の説明】
１０…ショーケース本体、１１…断熱壁、１３…透明板、２０…ナイトカバー、３０…係止部材。
【図１】
0003764347.tif 000002
【図２】
0003764347.tif 000003
【図３】
0003764347.tif 000004
【図４】
0003764347.tif 000005
【図５】
0003764347.tif 000006